(57)【要約】【課題】フォーカスリングのリング本体に対して、目印の形成された目印リングを回動自在に、且つ所望する回動位置で係止されるように支持することによって、撮影シーンごとに迅速且つ正確にピントを合わせることのでき、手間のかからないレンズ装置を提供する。【解決手段】レンズ装置１０のフォーカスリング１６は、筒体２６及びフォーカスギア２８から成るリング本体と、このリング本体に回動自在に支持され、且つ、所望する回動位置で係止されるリング３０とから構成される。リング３０の外表面には、目印線４８が形成されており、この目印線４８をフォーカス指標環５０の指標線５２に合わせることによって、ピント合わせが行われる。【選択図】      図１
2005128374.tif 000002
【特許請求の範囲】
【請求項１】
フォーカスリングを回動操作することによって、フォーカスレンズを光軸方向に移動させるレンズ装置において、
前記フォーカスリングは、
リング本体と、
該リング本体に回動自在に支持され、且つ回動させた位置で前記リング本体に固定されるとともに、外表面に目印が形成された目印リングと、
を備えることを特徴とするレンズ装置。
【請求項２】
前記目印リングを前記リング本体に付勢する付勢手段を備え、前記目印リングは、前記付勢手段で付勢されることによって前記リング本体に係止されることを特徴とする請求項１に記載のレンズ装置。
【請求項３】
前記目印リングを前記リング本体に対して基準位置に合わせるための位置決め手段を備えるとともに、前記目印リングの外表面には目盛りが形成されることを特徴とする請求項１または２に記載のレンズ装置。
【発明の詳細な説明】
【技術分野】
【０００１】
本発明はフォーカスリングを備えたレンズ装置に係り、特に映画撮影に使用されるレンズ装置に関する。
【背景技術】
【０００２】
映画撮影では、撮影するシーンごとに、レンズ装置から被写体までの撮影距離が決まっていることが多く、カメラマンは、所望する撮影距離に迅速にピントを合わせる必要がある。レンズ装置のフォーカスリングには、距離を示す目盛りが記されているので、その目盛りを鏡筒側の指標線に合わせれば、ファインダを覗くことなく、所望する撮影距離にピントを合わせることができる。しかし、撮影シーンごとに撮影距離を調べて目盛りを指標線に合わせていたのでは、フォーカス操作に時間がかかるという問題がある。そこで、従来は「シーン１」、「シーン２」…と書かれた紙やテープ等の目印をフォーカスリングに貼り付けておき、その目印を指標線に合わせるようにしている。
【０００３】
しかしながら、紙やテープ等は剥がれたり、位置がずれたりすることがあり、所望する撮影距離にピントを合わせることができなくなるおそれがある。
【０００４】
特許文献１に記載のレンズ装置は、フォーカスリングとして無地のリングを用いることによって、「シーン１」や「シーン２」などの目印をフォーカスリングに直接書き込むようにしている。このレンズ装置によれば、目印の位置がずれることがないので、常に正確なフォーカス操作を行うことができる。
【特許文献１】特開２００３−６６３０４号公報
【発明の開示】
【発明が解決しようとする課題】
【０００５】
しかしながら、特許文献１のレンズ装置は撮影する度に、新たな目印を書き込む手間と、書き込まれた目印を消す手間がかかるという問題があった。
【０００６】
本発明はこのような事情に鑑みてなされたもので、撮影シーンごとに、所望する撮影距離に迅速にピントを合わせることができ、且つ手間のかからないレンズ装置を提供することを目的とする。
【課題を解決するための手段】
【０００７】
請求項１記載の発明は前記目的を達成するために、フォーカスリングを回動操作することによって、フォーカスレンズを光軸方向に移動させるレンズ装置において、前記フォーカスリングは、リング本体と、該リング本体に回動自在に支持され、且つ回動させた位置で前記リング本体に固定されるとともに、外表面に目印が形成された目印リングと、を備えることを特徴としている。
【０００８】
請求項１に記載の発明によれば、目印リングをリング本体に対して回動させて所望する位置で固定することができるので、目印の位置をリング本体に対して周方向に自由に調節することができる。この目印を利用することによって、複数のシーンを撮影する場合であっても、ピント合わせを迅速、且つ正確に行うことができる。例えば二つのシーンを撮影する場合、まず、第２のシーンに合わせてフォーカス操作を行い、その位置が分かるように目印の位置を調節する。そして、第１のシーンを撮影する際は、リング本体を目印リングとともに回動させて、第１のシーンに応じたフォーカス操作を行う。また、第２のシーンを撮影する際は、目印の位置に合わせてリング本体を目印リングとともに回動させる。これにより、第２のシーンに応じたピント合わせを、迅速且つ正確に行うことができる。
【０００９】
また、請求項１に記載の発明によれば、目印が予め形成された目印リングをリング本体に対して回動させて固定するだけなので、撮影毎に目印を書き込んだり、目印となる紙やテープを貼り付けたりする手間が不要である。
【００１０】
請求項２に記載の発明は請求項１の発明において、前記目印リングを前記リング本体に付勢する付勢手段を備え、前記目印リングは、前記付勢手段で付勢されることによって前記リング本体に係止されることを特徴としている。
【００１１】
請求項２に記載の発明によれば、目印リングが付勢手段によってリング本体に付勢されるので、付勢力に抗して目印リングを回転させた後、目印リングから手を離すだけで、目印リングがリング本体に係止される。したがって、目印の位置を簡単に調節することができる。
【００１２】
請求項３に記載の発明によれば請求項１または２の発明において、前記目印リングを前記リング本体に対して基準位置に合わせるための位置決め手段を備えるとともに、前記目印リングの外表面には目盛りが形成されることを特徴としている。
【００１３】
請求項３に記載の発明によれば、目印リングに目盛りが形成されているので、その目盛りに応じてフォーカスリングを回動させることによって、所望する撮影距離にピントを合わせることができる。また、請求項３に記載の発明によれば、位置決め手段が設けられているので、目印リングをリング本体に対して回動させて目印の位置を調節した場合であっても、目印リングをリング本体に対して基準位置に合わせることができ、目印リングの目盛りを再度、使用することができる。
【発明の効果】
【００１４】
本発明に係るレンズ装置によれば、目印リングをリング本体に対して回動させ、所望する位置で固定することによって目印の位置を自由に調節することができるので、複数のシーンを撮影する場合であっても、手間をかけることなく、ピント合わせを迅速且つ正確に行うことができる。
【発明を実施するための最良の形態】
【００１５】
以下、添付図面に従って本発明に係るレンズ装置の好ましい実施の形態を詳説する。
【００１６】
図１に示す、固定焦点レンズであるシネマ用のレンズ装置１０は、その固定筒１２にアイリスリング１４及びフォーカスリング１６が回動自在に設けられている。アイリスリング１４の表面にはギア１８が形成されるとともに、ギア１８の図１上右側部に形成されたテーパ部２０には、絞り値を示す数値（Ｆナンバー：１．５、２、２．８…）とその目盛り２１、２１…が形成されている。
【００１７】
所望の絞り値に設定する場合には、アイリスリング１４を回動させて所望の絞り値の目盛り２１を、絞り指標環２２に形成された指標線２４に合わせる。この動作によって、レンズ装置１０に内蔵された虹彩絞り装置等のアイリス装置が駆動されて、所望の絞り値に設定される。なお、指標環２２は、固定筒１２に可動不能に固定されている。
【００１８】
フォーカスリング１６は主として筒体２６、フォーカスギア２８、及び目印リング３０で構成される。筒体２６は、固定筒１２に回動自在に支持されるとともに、その外表面から突設されたフォーカスレバー３２を手動で操作することにより回動される。フォーカスギア２８は、リング状に形成され、筒体２６の右端部に接着固定される。このフォーカスギア２８に、不図示のモータに連結された駆動ギアを噛合させることによって、フォーカスリング１６をモータの駆動力で回動させることができる。なお、筒体２６及びフォーカスギア２８が、本発明のリング本体を構成している。
【００１９】
フォーカスギア２８の内側には、不図示のフォーカスカム環が接着固定され、このフォーカスカム環は固定筒１２の外表面に回動自在に摺接されている。また、フォーカスカム環の内周面には、図２に示すフォーカスレンズ３６を光軸Ｐに沿って前後移動させるためのカム溝（不図示）が形成されている。このカム溝、及び固定筒１２の表面に光軸と平行に形成された直進溝（不図示）を介して、フォーカスレンズ枠体３８の移動環３９に突設されたカムフォロア（不図示）が係合されている。したがって、フォーカスギア２８を回動すると、フォーカスカム環が回動するので、フォーカスレンズ枠体３８が前記カム溝の軌跡に沿って光軸Ｐ方向に前後移動する。この操作によってフォーカスレンズ３６が光軸Ｐ方向に前後移動し、ピント合わせが行われる。
【００２０】
図２に示すように、目印リング３０は、フォーカスギア２８に図２の右側から外挿され、回動自在に支持されている。目印リング３０の左側には、板ばね部材４４がフォーカスギア２８との間に介在される。板ばね部材４４は、目印リング３０とフォーカスギア２８とに付勢力を付与する部材であればよく、例えば波形ワッシャが使用される。
【００２１】
目印リング３０の右側には、押さえリング４６が設けられ、この押さえリング４６をフォーカスギア２８に螺合することによって、目印リング３０が左方向に押圧されて固定される。これにより、目印リング３０は板ばね部材４４によって適度な摩擦力が付与された状態で固定される。したがって、フォーカスギア２８を押さえながら、板ばね部材４４の付勢力よりも大きな回転力を目印リング３０に与えることによって目印リング３０を回転させることができ、後述する目印線４８の位置をフォーカスギア２８に対して周方向に調節することができる。また、板ばね部材４４の付勢力によって目印リング３０を任意の回動位置でフォーカスギア２８に係止させることができる。
【００２２】
図１に示すように、目印リング３０の外表面には、目印線４８が形成されている。目印線４８は、フォーカスリング１６を回動操作する際の目印であり、この目印線４８を、フォーカス指標環５０の外周面の指標線５２に合わせるようにしてフォーカス操作が行われる。フォーカス指標環５０は、マウント環４０に止めねじ５３によって固定されており、マウント環４０は、図２に示すねじ４１によって固定筒１２に固定されている。なお、上述した例では、目印リング３０の外表面に目印線４８を形成したが、フォーカスリング１６を回動させる際の目印であればよく、例えば、矢印や点等の目印を付すようにしてもよい。
【００２３】
次に上記の如く構成されたレンズ装置１０を用いて、「シーン１」と「シーン２」の二つの撮影シーンを撮影する方法について説明する。
【００２４】
まず、カメラマンは、シーン２に合わせて、フォーカス操作を行う。すなわち、カメラのファインダ（不図示）を覗きながらシーン２に適した撮影距離にピントを合わせる。そして、目印リング３０をフォーカスギア２８に対して回動させ、目印リング３０の目印線４８の位置をフォーカス指標環５０の指標線５２の位置に合わせる。その際、板ばね部材４４の付勢力に抗して目印リング３０を回動させるだけで、目印線４８の位置を簡単に調節することができ、また、目印リング３０から手を離すだけで目印リング３０がフォーカスギア２８に係止される。
【００２５】
次に、フォーカスリング１６を回動操作し、シーン１に適した撮影距離にピントを合わせ、シーン１の撮影を行う。
【００２６】
そして、シーン２を撮影する際は、フォーカスリング１６を回動操作し、目印リング３０の目印線４８の位置を指標環５０の指標線５２の位置に合わせる。これにより、カメラマンは、ファインダを覗くことなく、シーン２に適した撮影距離にピントを合わせることができる。これにより、ピント合わせを迅速、且つ正確に行うことができる。
【００２７】
このように本実施の形態のレンズ装置１０によれば、目印リング３０に形成された目印線４８を用いてフォーカス操作を行うようにしたので、複数の撮影シーンにおいてピント合わせを迅速、且つ正確に行うことができる。
【００２８】
また、本実施の形態によれば、目印線４８の形成された目印リング３０をフォーカスギア２８に対して回動自在に支持するとともに、任意の回動位置で目印リング３０がフォーカスギア２８に係止されるようにしたので、目印線４８の位置を何度でも簡単に調節することができる。したがって、複数回の撮影を行う場合には、目印リング３０をフォーカスギア２８に対して回動及び係止させて目印線４８の位置を調節すればよく、目印リング３０に「シーン１」等の目印を書き込んだり、目印となる紙やテープを貼り付けたりする必要がない。したがって、本実施の形態によれば、複数回にわたる撮影を、手間をかけることなく簡単に行うことができる。
【００２９】
図３は、本発明にかかるレンズ装置の第２の実施形態を示す全体図である。
【００３０】
図３に示す第２の実施形態は、図１に示した第１の実施形態と比較して、目印リング３０の外表面に目盛り６１、６１…が形成されている点で異なっている。すなわち、図３の目印リング３０には、目印線４８の他に、メータ表示（０．５、０．６、０．７…１０、１５、∞）の目盛り６１、６１…が付されている。また、フォーカスリング１６の筒体２６には、基準位置を示す基準線６２が示されており、この基準線６２の位置に、目印リング３０の目印線４８の位置を合わせることによって、目盛り６１、６１…が正規の位置に配置される。ここで、正規の位置とは、フォーカス指標環５０の指標線５２の位置に目印リング３０の目盛り６１を合わせることによって、その目盛り６１のメータ表示の距離にピントが合う位置である。なお、目印リング３０の形状や支持方法を含むその他の構造については、図１、図２に示した第１の実施形態と同様であり、その説明を省略する。
【００３１】
上記の如く構成された第２の実施形態のレンズ装置によれば、目印リング３０の目盛り６１をフォーカス指標環５０の指標線５２の位置に合わせることによって、その目盛り６１のメータ表示の撮影距離にピントを正確に合わせることができる。
【００３２】
また、第２の実施形態のレンズ装置によれば、第１の実施形態と同様に、目印リング３０をフォーカスギア２８に対して回動させて係止させることによって、目印線４８の位置を簡単に調節することができる。したがって、複数のシーンにおいて、手間をかけることなく、ピント合わせを迅速、且つ正確に行うことができる。
【００３３】
さらに、第２の実施形態のレンズ装置によれば、フォーカスリング１６の筒体２６に基準線６２が設けられているので、目印線４８の位置と基準線６２の位置とを合わせることによって、目盛り６１を正規の位置に戻すことができる。したがって、目盛り６１を用いたフォーカス操作と、目印線４８を用いたフォーカス操作を選択することができる。
【００３４】
なお、上述した第２の実施形態は、目印リング３０に目印線４８と目盛り６１、６１…を別々に付したが、目盛り６１、６１…の一つを大きく形成して目印線として利用するようにしてもよい。例えば、「∞」の位置を示す目盛り６１の代わりに目印線４８を付してもよい。
【００３５】
また、上述した第２の実施形態では、フォーカスリング１６の筒体２６に基準線６２を設けて目盛り６１が正規の位置に戻るようにしたが、正規の位置への復帰方法はこれに限定するものではなく、例えば、クリック機構を設けることによって目印リング３０が正規の位置で一旦、係止するようにしてもよい。
【００３６】
さらに、上述した第２の実施形態では、目盛り６１を目印リング３０に形成したが、目印リング３０を透明或いは半透明な材料で形成すれば、この目印リング３０を透過して見えるリング本体（例えばフォーカスギア２８）に目盛り６１を形成してもよい。この場合には、目盛り６１が正規の位置からずれることがないので、前述した復帰手段が不要になる。
【００３７】
図４は、本発明に係るレンズ装置の第３の実施形態を示す全体図である。
【００３８】
図４に示す第３の実施形態は、図１に示した第１の実施形態と比較して、目印リング３０が三つの目印リング３０Ａ、３０Ｂ、３０Ｃに分割されている点で異なっている。すなわち、図４に示した第３の実施形態では、幅の狭い三つの目印リング３０Ａ〜３０Ｃが設けられており、各目印リング３０Ａ〜３０Ｃがそれぞれ、フォーカスギア２８に対して回動自在に支持されている。また、各目印リング３０Ａ〜３０Ｃの間には、波形ワッシャ等の付勢手段（不図示）が設けられており、各目印リング３０Ａ〜３０Ｃがそれぞれ、任意の回動位置でフォーカスギア２８に係止されるようになっている。さらに、各目印リング３０Ａ〜３０Ｃの外表面にはそれぞれ、目印線４８が形成されている。
【００３９】
上記の如く構成された第３の実施形態によれば、各目印リング３０Ａ〜３０Ｃをフォーカスギア２８に対して個別に回動させて任意の位置で係止させることができる。したがって、各目印リング３０Ａ〜３０Ｃに形成された目印線４８の位置をそれぞれ個別に調節することができる。これにより、より多くの撮影シーンにおいて迅速にピント合わせを行うことができる。例えば撮影距離の異なる「シーン１」〜「シーン４」の撮影を行う場合、まず「シーン２」に適した撮影距離にピントを合わせた後、目印リング３０Ａの目印線４８の位置をフォーカス指標環５０の指標線５２の位置に合わせて調節する。同様に、「シーン３」に適した撮影距離にピントを合わせた後、目印リング３０Ｂの目印線４８の位置を調節し、「シーン４」に適した撮影距離にピントを合わせた後、目印リング３０Ｃの目標線４８の位置を調節する。このようにして準備を行った後、シーン１の撮影距離にピントを合わせて撮影を行う。そして、シーン２を撮影する際は、目印リング３０Ａの目印線４８の位置をフォーカス指標環５０の指標線５２の位置に合わせることによって、ピント合わせを迅速、且つ正確に行うことができる。同様に、シーン３を撮影する際は、目印リング３０Ｂの目印線４８に合わせ、シーン４を撮影する際は、目印リング３０Ｃの目印線４８を合わせることによって、シーン３、シーン４でのピント合わせを迅速、且つ正確に行うことができる。
【００４０】
なお、上述した第３の実施形態では、三つの目印リング３０Ａ〜３０Ｃを用いたが、目印リング３０の個数は二個であっても、或いは四個以上であってもよく、目印リング３０Ａ〜３０Ｃの個数を増やすことによって、より多くの撮影シーンでピント合わせを迅速、且つ正確に行うことができる。
【００４１】
また、上述した第３の実施形態では、三つの目印リング３０Ａ〜３０Ｃ全てに目印線４８を形成したが、これに限定するものではなく、例えば目印リング３０Ｂに、第２の実施形態で示した目盛り６１、６１…を形成し、この目印リング３０Ｂをフォーカスギア２８に固定してもよい。
【図面の簡単な説明】
【００４２】
【図１】本発明に係るレンズ装置の第１の実施形態を示す全体図
【図２】図１に示したシネマ用レンズ装置の要部拡大断面図
【図３】本発明に係るレンズ装置の第２の実施形態を示す全体図
【図４】本発明に係るレンズ装置の第３の実施形態を示す全体図
【符号の説明】
【００４３】
１０…シネマ用のレンズ装置、１２…固定筒、１４…アイリスリング、１６…フォーカスリング、２２…絞り指標環、２４…絞り指標線、２６…筒体、２８…フォーカスギア、３０…目印リング、３２…フォーカスレバー、３４…フォーカスカム環、３６…フォーカスレンズ、３８…フォーカスレンズ枠体、４４…板ばね部材、４６…押さえリング、４８…目印線、５０…フォーカス指標環、５２…指標線、６１…目盛り、６２…基準線
【図１】
2005128374.tif 000003
【図２】
2005128374.tif 000004
【図３】
2005128374.tif 000005
【図４】
2005128374.tif 000006